(57)【要約】【課題】通信料金がかからず、音発生源から離れた場所でも音発生源の状態を判別して使用者に音発生源の状態を認識させることができる携帯端末装置を提供する。【解決手段】携帯端末装置は、音発生源が発生した該音発生源の特定の状態を知らせる報知音を検出する検出装置との間で無線通信を行い、該検出装置から、報知音の情報を含む無線信号を受信する通信部４０と、報知音の情報と特定の状態とを関連付けた状態判定情報を保持する記憶部４１と、通信部４０が受信した無線信号に含まれている報知音の情報と状態判定情報とに基づいて音発生源の状態を判定する状態判定部４２と、状態判定部４２の判定結果を報知する報知部４３と、を有する。【選択図】図１１
2014044568.tif 000002
【特許請求の範囲】
【請求項１】
音発生源が発生した該音発生源の特定の状態を知らせる報知音を検出する検出装置との間で無線通信を行い、該検出装置から、前記報知音の情報を含む無線信号を受信する通信部と、
前記報知音の情報と前記特定の状態とを関連付けた状態判定情報を保持する記憶部と、
前記通信部が受信した前記無線信号に含まれている前記報知音の情報と前記状態判定情報とに基づいて前記音発生源の状態を判定する状態判定部と、
前記状態判定部の判定結果を報知する報知部と、を有する、携帯端末装置。
【請求項２】
前記状態判定部は、前記検出装置からの前記無線信号の受信レベルが閾値以上の場合にのみ、前記報知部に前記判定結果の報知を行わせる、請求項１に記載の携帯端末装置。
【請求項３】
音を検出する音検出部と、
音発生源の特定の状態を知らせる報知音の情報と前記特定の状態とを関連付けた状態判定情報を保持する記憶部と、
前記音発生源が発生した前記報知音を前記音検出部で検出すると、該検出した報知音の情報と前記状態判定情報とに基づいて前記音発生源の状態を判定する状態判定部と、
前記状態判定部の判定結果を含む無線信号を外部の報知装置へ送信する通信部と、を有する、携帯端末装置。
【請求項４】
前記通信部は、前記外部の報知装置からの無線信号を受信し、
前記状態判定部は、前記外部の報知装置からの前記無線信号の受信レベルが閾値以上の場合にのみ、前記通信部に、前記判定結果を含む前記無線信号の前記外部の報知装置への送信を行わせる、請求項４に記載の携帯端末装置。
【請求項５】
音を検出する音検出部を備え、音発生源が発生した該音発生源の特定の状態を知らせる報知音を前記音検出部で検出し、該報知音の情報を含む無線信号を送信する検出装置と、
前記検出装置から前記無線通信を受信する報知装置と、を有し、
前記報知装置は、
前記報知音の情報と前記特定の状態とを関連付けた状態判定情報を保持する記憶部と、
前記検出装置から受信した前記無線通信に含まれている前記報知音の情報と前記状態判定情報とに基づいて前記音発生源の状態を判定する状態判定部と、
前記状態判定部の判定結果を報知する報知部と、を有する、音発生源状態監視システム。
【請求項６】
音を検出する検出装置と、
前記検出装置と無線通信を行う報知装置と、有し、
前記検出装置は、
音を検出する音検出部と、
音発生源の特定の状態を知らせる報知音の情報と前記特定の状態とを関連付けた状態判定情報を保持する記憶部と、
前記音発生源が発生した前記報知音を前記音検出部で検出すると、該検出した報知音の情報と前記状態判定情報とに基づいて前記音発生源の状態を判定する状態判定部と、
前記状態判定部の判定結果を含む無線信号を前記報知装置へ送信する第１の通信部と、を有し、
前記報知装置は、
前記第１の通信部からの前記無線信号を受信する第２の通信部と、
前記第２の通信部で受信した前記無線信号に含まれている前記判定結果を報知する報知部と、を有する、音発生源状態監視システム。
【請求項７】
通信部が、音発生源が発生した該音発生源の特定の状態を知らせる報知音を検出する検出装置との間で無線通信を行い、該検出装置から、前記報知音の情報を含む無線信号を受信し、
状態判定部が、記憶部に格納された、前記報知音の情報と前記特定の状態とを関連付けた状態判定情報を参照し、前記通信部が受信した前記無線信号に含まれている前記報知音の情報と前記状態判定情報とに基づいて前記音発生源の状態を判定し、
報知部が、前記状態判定部の判定結果を報知する、音発生源状態監視方法。
【請求項８】
音検出部が、音発生源が発生した該音発生源の特定の状態を知らせる報知音を検出し、
状態判定部が、記憶部に格納された、前記報知音の情報と前記特定の状態とを関連付けた状態判定情報を参照し、前記音検出部が検出した前記報知音の情報と前記状態判定情報とに基づいて前記音発生源の状態を判定し、
通信部が、前記状態判定部の判定結果を含む無線信号を外部の報知装置へ送信する、音発生源状態監視方法。
【請求項９】
音発生源が発生した該音発生源の特定の状態を知らせる報知音を検出する検出装置との間で無線通信を行い、該検出装置から、前記報知音の情報を含む無線信号を受信する処理と、
記憶部に格納された、前記報知音の情報と前記特定の状態とを関連付けた状態判定情報を参照し、前記検出装置から受信した前記無線信号に含まれている前記報知音の情報と前記状態判定情報とに基づいて前記音発生源の状態を判定する処理と、
前記音発生源の状態判定結果を報知する処理と、をコンピュータに実行させるためのプログラム。
【請求項１０】
音発生源が発生した該音発生源の特定の状態を知らせる報知音を検出する処理と、
記憶部に格納された、前記報知音の情報と前記特定の状態とを関連付けた状態判定情報を参照し、検出した前記報知音の情報と前記状態判定情報とに基づいて前記音発生源の状態を判定する処理と、
前記音発生源の状態判定結果を報知する処理と、をコンピュータに実行させるためのプログラム。
【発明の詳細な説明】
【技術分野】
【０００１】
本発明は、自身の特定の状態を示す音情報を発生する音発生源、例えば、洗濯機や電子レンジなどの電気製品の状態を監視する技術に関する。
【背景技術】
【０００２】
洗濯機や電子レンジなどの電気製品は、自機の特定の状態を示すアラーム音を出力する。例えば、電子レンジは、加熱時間が設定時間に達すると、加熱処理が終了したことを示すアラーム音を出力する。
【０００３】
特許文献１には、電気製品が発したアラーム音を分析してその警報内容を音声で出力する音声報知システムが記載されている。
【０００４】
この音声報知システムは、周波数等のパターンが異なる複数のアラーム音について、アラーム音毎に、その警報内容を示す音声情報が格納された記憶装置と、電気製品が発したアラーム音のパターンを分析して記憶装置に登録したアラーム音か否かを判定し、登録したアラーム音である場合に、該アラーム音に対応する音声情報を記憶装置から取得し、取得した音声情報に基づく音声を出力する通報装置とを有する。
【０００５】
また、特許文献１には、変形例として、通報装置が、携帯電話網を通じて、使用者が所持している携帯電話機を呼び出し、上記音声情報に基づく音声信号を携帯電話機に送信する構成が記載されている。この構成によれば、通報装置から離れた場所でも、使用者は、携帯電話機を使用して通報装置からの音声を認識することができる。
【０００６】
特許文献２には、屋内外の生活音の発生を聴覚障害者に認識させることができる聴覚障害者用生活支援装置が記載されている。
【０００７】
この生活支援装置は、壁等に設けられる少なくとも１つの集音マイクと、集音マイクと接続された送信機と、送信機と無線通信を行う受信機とを有する。受信機は、携帯可能である。
【０００８】
送信機は、集音マイクの出力信号に基づいて予め登録された周波数スペクトルの生活音を検出し、該検出した生活音に対応する伝送情報を受信機へ送信する。受信機は、送信機からの伝送情報に応じたメッセージ（生活音の名称）を表示する。このメッセージ表示により、聴覚障害者は、生活音を認識することができる。
【先行技術文献】
【特許文献】
【０００９】
【特許文献１】特開２００２−２３６９８５号公報
【特許文献２】特開平１１−１２０４６８号公報
【発明の概要】
【発明が解決しようとする課題】
【００１０】
電気製品のアラーム音の音量を大きくすると、騒音等の問題を生じることから、通常は、アラーム音はある程度小さな音量に設定されている。このため、電気製品から離れた場所では、使用者は、アラーム音を聞き取ることができず、電気製品の状態を認識することが困難である。
【００１１】
特許文献１に記載の音声報知システムにおいては、通報装置が、電気製品からのアラーム音を検出して電気製品の状態を音声で知らせることで、使用者に電気製品の状態を確実に認識させることが可能である。しかし、通報装置から離れた場所では、使用者が通報装置からの音声を認識することは困難である。
【００１２】
なお、通報装置が電気製品の状態を示す音声信号を携帯電話機に送信する変形例においては、上記問題を解決することができる。しかし、この場合は、アラーム音が発せられる度に、通報装置は、携帯電話網を介して携帯電話機を呼び出すため、通信料金が増大する。
【００１３】
特許文献２に記載の生活支援装置においては、生活音の発生や名称を聴覚障害者に認知させることはできるものの、電気製品の状態を判別することは困難である。
【００１４】
本発明の目的は、通信料金がかからず、音発生源から離れた場所でも音発生源の状態を判別して使用者に音発生源の状態を認識させることができる、携帯端末装置、音発生源状態監視システム、音発生源状態監視方法およびプログラムを提供することにある。
【課題を解決するための手段】
【００１５】
上記目的を達成するため、本発明の一態様によれば、
音発生源が発生した該音発生源の特定の状態を知らせる報知音を検出する検出装置との間で無線通信を行い、該検出装置から、前記報知音の情報を含む無線信号を受信する通信部と、
前記報知音の情報と前記特定の状態とを関連付けた状態判定情報を保持する記憶部と、
前記通信部が受信した前記無線信号に含まれている前記報知音の情報と前記状態判定情報とに基づいて前記音発生源の状態を判定する状態判定部と、
前記状態判定部の判定結果を報知する報知部と、を有する、携帯端末装置が提供される。
【００１６】
本発明の別の態様によれば、
音を検出する音検出部と、
音発生源の特定の状態を知らせる報知音の情報と前記特定の状態とを関連付けた状態判定情報を保持する記憶部と、
前記音発生源が発生した前記報知音を前記音検出部で検出すると、該検出した報知音の情報と前記状態判定情報とに基づいて前記音発生源の状態を判定する状態判定部と、
前記状態判定部の判定結果を含む無線信号を外部の報知装置へ送信する通信部と、を有する、携帯端末装置が提供される。
【００１７】
本発明のさらに別の態様によれば、
音を検出する音検出部を備え、音発生源が発生した該音発生源の特定の状態を知らせる報知音を前記音検出部で検出し、該報知音の情報を含む無線信号を送信する検出装置と、
前記検出装置から前記無線通信を受信する報知装置と、を有し、
前記報知装置は、
前記報知音の情報と前記特定の状態とを関連付けた状態判定情報を保持する記憶部と、
前記検出装置から受信した前記無線通信に含まれている前記報知音の情報と前記状態判定情報とに基づいて前記音発生源の状態を判定する状態判定部と、
前記状態判定部の判定結果を報知する報知部と、を有する、音発生源状態監視システムが提供される。
【００１８】
本発明のさらに別の態様によれば、
音を検出する検出装置と、
前記検出装置と無線通信を行う報知装置と、有し、
前記検出装置は、
音を検出する音検出部と、
音発生源の特定の状態を知らせる報知音の情報と前記特定の状態とを関連付けた状態判定情報を保持する記憶部と、
前記音発生源が発生した前記報知音を前記音検出部で検出すると、該検出した報知音の情報と前記状態判定情報とに基づいて前記音発生源の状態を判定する状態判定部と、
前記状態判定部の判定結果を含む無線信号を前記報知装置へ送信する第１の通信部と、を有し、
前記報知装置は、
前記第１の通信部からの前記無線信号を受信する第２の通信部と、
前記第２の通信部で受信した前記無線信号に含まれている前記判定結果を報知する報知部と、を有する、音発生源状態監視システムが提供される。
【００１９】
本発明のさらに別の態様によれば、
通信部が、音発生源が発生した該音発生源の特定の状態を知らせる報知音を検出する検出装置との間で無線通信を行い、該検出装置から、前記報知音の情報を含む無線信号を受信し、
状態判定部が、記憶部に格納された、前記報知音の情報と前記特定の状態とを関連付けた状態判定情報を参照し、前記通信部が受信した前記無線信号に含まれている前記報知音の情報と前記状態判定情報とに基づいて前記音発生源の状態を判定し、
報知部が、前記状態判定部の判定結果を報知する、音発生源状態監視方法が提供される。
【００２０】
本発明のさらに別の態様によれば、
音検出部が、音発生源が発生した該音発生源の特定の状態を知らせる報知音を検出し、
状態判定部が、記憶部に格納された、前記報知音の情報と前記特定の状態とを関連付けた状態判定情報を参照し、前記音検出部が検出した前記報知音の情報と前記状態判定情報とに基づいて前記音発生源の状態を判定し、
通信部が、前記状態判定部の判定結果を含む無線信号を外部の報知装置へ送信する、音発生源状態監視方法が提供される。
【００２１】
本発明のさらに別の態様によれば、
音発生源が発生した該音発生源の特定の状態を知らせる報知音を検出する検出装置との間で無線通信を行い、該検出装置から、前記報知音の情報を含む無線信号を受信する処理と、
記憶部に格納された、前記報知音の情報と前記特定の状態とを関連付けた状態判定情報を参照し、前記検出装置から受信した前記無線信号に含まれている前記報知音の情報と前記状態判定情報とに基づいて前記音発生源の状態を判定する処理と、
前記音発生源の状態判定結果を報知する処理と、をコンピュータに実行させるためのプログラムが提供される。
【００２２】
本発明の他の態様によれば、
音発生源が発生した該音発生源の特定の状態を知らせる報知音を検出する処理と、
記憶部に格納された、前記報知音の情報と前記特定の状態とを関連付けた状態判定情報を参照し、検出した前記報知音の情報と前記状態判定情報とに基づいて前記音発生源の状態を判定する処理と、
前記音発生源の状態判定結果を報知する処理と、をコンピュータに実行させるためのプログラムが提供される。
【発明の効果】
【００２３】
本発明によれば、通信料金がかからず、音発生源から離れた場所でも音発生源の状態を判別して使用者に音発生源の状態を認識させることができる。
【図面の簡単な説明】
【００２４】
【図１】本発明の第１の実施形態である音発生源状態監視システムの構成を示すブロック図である。
【図２】図１に示す音発生源状態監視システムの検出装置の構成を示すブロック図である。
【図３】図１に示す音発生源状態監視システムの報知装置の構成を示すブロック図である。
【図４】電子レンジ終了時のアラーム音のパターンを説明するための図である。
【図５】洗濯機終了時のアラーム音のパターンを説明するための図である。
【図６】メッセージ情報テーブルの一例を説明するための図である。
【図７】図２に示す検出装置の動作の一手順を示すフローチャートである。
【図８】図３に示す報知装置の動作の一手順を示すフローチャートである。
【図９】図３に示す報知装置の機器監視条件入力モード処理の一手順を示すフローチャートである。
【図１０】図３に示す報知装置の機器監視モード処理の一手順を示すフローチャートである。
【図１１】本発明の第２の実施形態である携帯端末装置の構成を示すブロック図である。
【図１２】本発明の第３の実施形態である携帯端末装置の構成を示すブロック図である。
【発明を実施するための形態】
【００２５】
次に、本発明の実施形態について図面を参照して説明する。
【００２６】
（第１の実施形態）
図１は、本発明の第１の実施形態である音発生源状態監視システムの構成を示すブロック図である。
【００２７】
図１を参照すると、音発生源状態監視システムは、音発生源１００の周辺の任意の位置に配置される、少なくとも１つの移動可能な検出装置１と、検出装置１と直接に無線通信を行う、携帯可能な報知装置２とを有する。ここで、無線通信は、通信料金が発生しない無線通信であって、電波を用いた通信の他、音や光などを用いた通信を含む。Bluetooth（登録商標）や赤外線通信などを用いてもよい。なお、赤外線通信では、壁等の障害物が通信の妨げとなるため、電波を用いた通信を用いることが望ましい。
【００２８】
音発生源１００は、自身の特定の状態を示す音（特定のパターンの音）を発生する。例えば、音発生源１００は、電子レンジや冷蔵庫などのアラーム音を発生する電気製品である。なお、音発生源１００は、電気製品に限定されない。音発生源１００は、自身の特定の状態を示す音を発生するものであれば、どのようなものであってもよく、例えば、人間であってもよい。
【００２９】
図２に、検出装置１の構成を示す。図２に示すように、検出装置１は、制御部２１、マイクロホン２２、プログラムメモリ２３、スピーカ２４、入力部２５、記憶部２６および通信部２７を有する。
【００３０】
マイクロホン２２は、音を電気信号に変換する。マイクロホン２２は、音発生源１００からの音を検出することができる。スピーカ２４は、メッセージに対応する音声等を出力する。
【００３１】
通信部２７は、報知装置２と無線通信を行う。プログラムメモリ２３は、検出装置１を動作させるのに必要なプログラムを格納する。記憶部２６は、プログラムを実行するのに必要なデータや各種情報を格納する。同じメモリがプログラムメモリ２３および記憶部２６の両方を兼用してもよい。例えば、同一メモリ内に、プログラムメモリ２３に対応する領域と、記憶部２６に対応する領域とを設けてもよい。
【００３２】
入力部２５は、複数のキーやボタンを含み、これらキーやボタンが押下されると、押下したキーやボタンに応じた指示信号を出力する。
【００３３】
制御部２１は、ＣＰＵ（Central Processing unit）よりなる。制御部２１は、プログラムメモリ２３に格納されたプログラムを実行し、入力部２５からの指示信号に従って種々の処理を実行する。具体的には、制御部２１は、報知装置２との無線通信を確立するための処理（無線接続処理）、無線接続を切断する処理（無線切断処理）、マイクロホン２２で検出した音の情報を含む無線信号を通信部２７から出力させる処理、報知装置２から受信した信号に基づく音響信号（オーディオ信号や音声信号など）をスピーカ２４から出力する処理などを行う。
【００３４】
図３に、報知装置２の構成を示す。図３に示すように、報知装置２は、制御部３１、マイクロホン３２、プログラムメモリ３３、音分析部３４、入力部３５、スピーカ３６、表示部３７、記憶部３８および通信部３９を有する。
【００３５】
通信部３９は、検出装置１の通信部２７と無線通信を行い、検出装置１からの無線信号を電気信号に変換する。通信部３９は、検出装置１から受信した無線信号に含まれている、マイクロホン２２が検出した音の情報を音分析部３４に供給する。
【００３６】
プログラムメモリ３３は、報知装置２を動作させるのに必要なプログラムを格納する。記憶部３８は、プログラムを実行するのに必要なデータや各種情報（音声分析に必要な情報やメッセージ情報などを含む。）を格納する。同じメモリがプログラムメモリ３３および記憶部３８の両方を兼用してもよい。例えば、同一メモリ内に、プログラムメモリ３３に対応する領域と、記憶部３８に対応する領域とを設けてもよい。
【００３７】
音声分析に必要な情報は、音発生源１００から発せされる音のパターンを示す音パターン情報を含む。音パターン情報の一例として、図４に、電子レンジ終了時のアラーム音のパターンを示し、図５に、洗濯機終了時のアラーム音のパターンを示す。
【００３８】
図４に示すアラーム音は、周波数５００Ｈｚの音が発せられる期間（１５００ｍｓ）と無音期間とを含む。図５に示すアラーム音は、周波数１５００Ｈｚの音が発せられる期間（１０００ｍｓ）と、周波数３００Ｈｚの音が発せられる期間（１０００ｍｓ）とを含む。
【００３９】
メッセージ情報は、音パターン情報と監視完了メッセージとが関連付けて格納されるメッセージ情報テーブルよりなる。図６に、メッセージ情報テーブルの一例を示す。
【００４０】
図６に示すメッセージ情報テーブルは、監視音パターンの項目と監視完了メッセージの項目とを有する。監視音パターンの項目には、監視すべき音パターンの情報（音パターン情報）が格納され、監視完了メッセージの項目には、監視すべき音パターンに対応する監視完了メッセージが格納される。具体的には、図４に示したアラーム音の情報と「電子レンジ終了」のメッセージとが関連付けられてメッセージ情報テーブルに格納され、図５に示したアラーム音の情報と「洗濯機終了」のメッセージとが関連付けられてメッセージ情報テーブルに格納される。
【００４１】
入力部３５は、複数のキーやボタンを含み、これらキーやボタンのいずれかが押下されると、押下したキーやボタンに応じた指示信号を出力する。スピーカ３６は、メッセージに対応する音声等を出力する。表示部３７は、液晶ディスプレイ等である。なお、入力部３５は、タッチパネルを含んでいてもよい。
【００４２】
音分析部３４は、通信部３９が受信した無線信号に含まれている、検出装置１のマイクロホン２２が検出した音のパターンを分析し、該音のパターンが記憶部３８に登録されているか否かを判定する。登録されている場合は、音分析部３４は、音のパターンに対応するメッセージをメッセージ情報テーブルから取得する。音分析部３４は、取得したメッセージを表示部３７に表示させ、または、取得したメッセージの内容を示す音声信号をスピーカ３６から出力させる。
【００４３】
制御部３１は、ＣＰＵ（Central Processing unit）よりなる。制御部３１は、プログラムメモリ３３に格納されたプログラムを実行し、入力部３５からの指示信号に従って種々の処理を実行し、報知装置２の各部の動作を制御する。
【００４４】
次に、本実施形態の音発生源状態監視システムの動作について説明する。
【００４５】
まず、検出装置１の動作を説明する。
【００４６】
図７は、検出装置１の動作の一手順を示すフローチャートである。この動作は、以下では、ハンズフリーイヤホンを検出装置１に適用した場合の動作である。
【００４７】
制御部２１が、入力部２５を介した使用者からの入力を待つ（ステップ１０１）。例えば、使用者が入力部２５の特定のボタンを押下すると、入力待ちの状態となる。入力待ちの状態となってから所定の時間内に、使用者が入力部２５にて入力操作を行うと、制御部２１が、入力ありと判定する。
【００４８】
入力ありと判定と判定した場合（ステップ１０１の判定が「Ｙｅｓ」である場合）は、制御部２１が、ハンズフリーイヤホンが無線切断状態か否かを確認する（ステップ１０２）。無線切断状態である場合は、制御部２１が、入力部２５からの使用者の入力操作に応じた指示信号が無線接続指示を示す信号であるか否かを判定する（ステップ１０３）。指示信号が無線接続指示を示す信号である場合は、制御部２１が、無線接続処理を実行する（ステップ１０４）。
【００４９】
無線接続処理の実行後、制御部２１が、接続に成功したか否かを判定する（ステップ１０５）。接続に成功した場合は、制御部２１が、接続成功通知を示す音声信号をスピーカ２４から出力させる（ステップ１０６）。接続に失敗した場合は、制御部２１が、接続失敗通知を示す音声信号をスピーカ２４から出力させる（ステップ１０７）。
【００５０】
ステップ１０２で無線切断状態でないと判定した場合（すなわち、無線接続中と判定した場合）は、制御部２１が、指示信号が無線切断指示を示す信号であるか否かを判定する（ステップ１０８）。指示信号が無線切断指示を示す信号である場合は、制御部２１が、無線切断処理を実行し（ステップ１０９）、切断完了通知を示す音声信号をスピーカ２４から出力させる（ステップ１１０）。
【００５１】
ステップ１０１で使用者の入力なしと判定した場合は、制御部２１が、無線接続状態か否かを判定する（ステップ１１１）。無線接続状態であれば、制御部２１が、マイクロホン２２で検出した音の情報を含む無線信号を通信部２７から出力させる処理、報知装置２から受信した信号に基づく音響信号をスピーカ２４から出力させる処理などを実行する（ステップ１１２）。無線接続状態でない場合は、制御部２１が、無線接続切断通知を示す音声信号をスピーカ２４から出力させる（ステップ１１３）。
【００５２】
ステップ１０３、１０８のいずれかの判定が否である場合、制御部２１は、次の入力を待つ（ステップ１０１）。ステップ１０６、１０７、１１０．１１２、１１３のいずれかの処理を実行後、制御部２１は、次の入力を待つ（ステップ１０１）。
【００５３】
なお、ステップ１０３で無線接続指示以外の指示信号を受信した場合や、ステップ１０８で無線切断指示以外の指示信号を受信した場合は、制御部２１は、その指示信号を無視し、次の入力を待つ（ステップ１０１）。
【００５４】
次に、報知装置２の動作について説明する。
【００５５】
図８は、報知装置２の動作の一手順を示すフローチャートである。
【００５６】
制御部３１が、機器監視条件入力モードまたは機器監視モードのいずれかが設定されたか否か、または、モード解除が行われたか否かを判定する（ステップ２００）。
【００５７】
機器監視条件入力モードが設定された場合は、制御部３１が、機器監視条件入力モード処理を実行する（ステップ２０１）。
【００５８】
機器監視モードが設定された場合は、制御部３１が、機器監視モード処理を実行する（ステップ２０２）。
【００５９】
機器監視条件入力モード処理または機器監視モード処理の実行後、または、モード解除が行われた場合は、制御部３１が、入力確認を行う（ステップ２０３）。この入力確認では、例えば、制御部３１は、モード切替、無線接続開始および無線接続停止のいずれかを選択的に入力可能な画面を表示部３７に表示し、入力部３５からの指示信号を待つ。使用者は、入力部３５を使用してモード切替、無線接続開始および無線接続停止のいずれかを選択することができる。
【００６０】
制御部３１は、所定時間内に入力部３５から指示信号を受信したか否かを判定する（ステップ２０４）。
【００６１】
指示信号を受信した場合は、制御部３１が、指示信号がモード切替指示を示す信号であるか否かを判定する（ステップ２０５）。入力部３５からの指示信号がモード切替指示を示す信号である場合は、制御部３１が、モード切替処理を実行する（ステップ２０６）。
【００６２】
入力部３５からの指示信号がモード切替指示を示す信号でない場合は、制御部３１が、指示信号が無線切断指示を示す信号であるか否かを判定する（ステップ２０７）。
【００６３】
入力部３５からの指示信号が無線切断指示を示す信号でない場合は、制御部３１が、指示信号が無線接続指示を示す信号であるか否かを判定する（ステップ２０８）。
【００６４】
入力部３５からの指示信号が無線接続指示を示す信号である場合は、制御部３１が、無線切断状態か否かを確認する（ステップ２０９）。無線切断状態である場合は、制御部２１が、無線接続処理を実行する（ステップ２１０）。
【００６５】
無線接続処理の実行後、制御部３１が、接続に成功したか否かを判定する（ステップ２１１）。接続に成功した場合は、制御部３１が、接続成功通知を示す音声信号をスピーカ３６から出力させる、または、表示部３７にて接続成功通知の表示を行わせる（ステップ２１２）。接続に失敗した場合は、制御部３１が、接続失敗通知を示す音声信号をスピーカ３６から出力させる、または、表示部３７にて接続失敗通知の表示を行わせる（ステップ２１３）。
【００６６】
ステップ２０７で入力部３５からの指示信号が無線切断指示を示す信号であると判定した場合は、制御部３１が、無線接続状態か否かを確認する（ステップ２１４）。無線接続状態である場合は、制御部３１が、無線切断処理を実行し（ステップ２１５）、切断完了通知を示す音声信号をスピーカ３６から出力させる、または、表示部３７にて切断完了通知の表示を行わせる（ステップ２１６）。
【００６７】
ステップ２０４、２０８、２０９、２１４のいずれかの判定が否である場合、または、ステップ２０６、２１２、２１３、２１６のいずれかの処理を実行後、制御部２１は、ステップ２００の判定を行う。
【００６８】
次に、ステップ２０１の機器監視条件入力モード処理について説明する。
【００６９】
図９は、機器監視条件入力モード処理の一手順を示すフローチャートである。
【００７０】
報知装置２が機器監視条件入力モードの状態になると、制御部３１は、入力条件完了用の監視タイマを起動する（ステップ３０１）。
【００７１】
監視タイマがタイムアウトするか、検出装置１との無線通信が終了した場合（ステップ３０２の判定が「Ｙｅｓ」である場合）、制御部３１は、監視条件の登録に失敗したことを示す表示を行い（ステップ３１２）、報知装置２のモード解除を行う（ステップ３１３）。この後、制御部３１は、監視条件入力モード処理を終了する。
【００７２】
監視タイマがタイムアウトせず、かつ、検出装置１との無線通信が維持されている場合（ステップ３０２の判定が「Ｎｏ」である場合）は、制御部３１が、検出装置１からの音声信号を記憶部３８に入力する（ステップ３０３）。
【００７３】
検出装置１からの音声信号を記憶部３８に格納した後、制御部３１が、入力部３５を介した使用者からの入力を待つ（ステップ３０４）。入力部３５からの入力があるまで、ステップ３０２、３０２の処理が繰り返し実行され、ステップ３０２の判定が「Ｙｅｓ」であれば、検出装置１からの音声信号を記憶部３８に入力する状態が維持される。
【００７４】
入力部３５を介した使用者からの入力があると（ステップ３０４の判定が「Ｙｅｓ」である場合）、制御部３１は、使用者の入力が監視条件登録の完了を示す入力であるか否かを判定する（ステップ３０５）。
【００７５】
使用者の入力が監視条件登録の完了を示す入力以外である場合は、制御部３１が、ステップ３１２の処理を実行する。
【００７６】
使用者の入力が監視条件登録の完了を示す入力である場合は、制御部３１が、検出装置１からの音声信号の記憶部３８への入力を停止し、音分析部３４に音分析処理を行わせる（ステップ３０６）。この音分析処理において、音分析部３４は、記憶部３８に格納された音声信号の音パターンを分析し、分析結果を記憶部３８に格納する（音パターンの登録）。そして、制御部３１が、音分析の終了を示す表示を表示部３７にて行わせるとともに、登録した音パターンに対応する監視完了メッセージの入力を要求する表示を表示部３７にて行わせる。
【００７７】
メッセージ入力要求の表示後、制御部３１は、入力部３５を介した使用者からの入力を待つ（ステップ３０８）。使用者の入力があると（ステップ３０８の判定が「Ｙｅｓ」である場合）、制御部３１が、監視完了メッセージの入力が完了したか否かを判定する（ステップ３０９）。例えば、使用者が入力部３５にて監視完了メッセージを入力した後、入力を完了するための操作を行う。制御部３１は、入力部３５からの完了操作に応じた指示信号に基づいて、監視完了メッセージの入力完了を認識する。
【００７８】
監視完了メッセージの入力が完了した場合は、制御部３１が、監視条件の音パターンと監視完了メッセージを記憶部３８に登録し（ステップ３１０）、監視条件音パターンおよび登録監視完了メッセージの入力完了を示すメッセージを表示部３７にて表示させる（ステップ３１１）。監視条件の音パターンと監視完了メッセージの登録により、図６に示したメッセージ情報テーブルが作成される。
【００７９】
入力完了の表示後、制御部３１が、報知装置２のモード解除を行い（ステップ３１３）、監視条件入力モード処理を終了する。
【００８０】
次に、報知装置２の機器監視モード処理について説明する。
【００８１】
図１０は、機器監視モード処理の一手順を示すフローチャートである。
【００８２】
制御部３１が、検出装置１との無線通信が維持されているか否かを判定する（ステップ４０１）。
【００８３】
無線通信が維持されている場合は、制御部３１が、検出装置１からの音声信号を記憶部３８に入力し（ステップ４０２）、制御部３１からの指示に応じて、音分析部３４が、記憶部３８に格納した音声信号の音分析を行う（ステップ４０３）。
【００８４】
記憶部３８に格納した音声信号の音分析後、音分析部３４が、比較対象の音パターンがメッセージ情報テーブルにあるか否かを判定する（ステップ４０４）。比較対象の音パターンがある場合は、音分析部３４が、比較対象の音パターンとステップ４０３の音分析で得られた、検出装置１からの音声信号の音パターンとを比較し（ステップ４０５）、両パターンが一致するか否かを判定する（ステップ４０６）。
【００８５】
両パターンが一致しなかった場合は、音分析部３４が、ステップ４０４を再度実行し、次の比較対象の音パターンがメッセージ情報テーブルにあるか否かを判定する。比較対象が未だあれば、音分析部３４が、ステップ４０５、４０６を実行する。
【００８６】
検出装置１からの音声信号の音パターンがメッセージ情報テーブルに登録された音パターンのいずれかと一致した場合は、音分析部３４が、メッセージ情報テーブルから対応する監視完了メッセージを取得し、取得した監視完了メッセージを表示部３７にて表示させる（ステップ４０７）。
【００８７】
メッセージ情報テーブルに登録された全ての音パターンについて、検出装置１からの音声信号の音パターンと比較し、いずれも一致しなかった場合は、制御部３１が、監視失敗を示すメッセージを表示部３７にて表示させる（ステップ４０８）。そして、制御部３１が、報知装置２のモード解除を行い（ステップ４０９）、機器監視モード処理を終了する。
【００８８】
上述した音発生源状態監視システムにおいて、例えば、検出装置１として、イヤホン、ハンズフリーイヤホン、マイクロホンなどの集音機器であって、無線通信機能を備えた集音機器を用い、報知装置２として、ディスプレイやスピーカなどの出力機能や無線通信機能を備えた携帯端末装置、例えば、携帯電話機やスマートフォンを用いることができる。
【００８９】
上記の構成において、検出装置１として、上記の携帯端末装置を用い、報知装置２として、イヤホン、ハンズフリーイヤホン、ディスプレイ、スピーカなどの出力機能や無線通信機能を備えた機器を用いてもよい。例えば、無線通信機能やディスプレイを備えた腕時計やペンダントを報知装置２として用いることができる。ハンズフリーイヤホンは、マイクとスピーカを備えた機器である。
【００９０】
上記の携帯端末装置としては、携帯電話機やスマートフォンに限らず、他の装置、例えば、ＰＤＡ（Personal Data Assistant）、ゲーム機、タブレットＰＣ（Personal Computer）、ノートＰＣなどを適用することもできる。
【００９１】
また、図７〜図１０の各処理は、コンピュータがプログラムを実行することで提供される。プログラムは、コンピュータ読み出し可能な記録媒体、例えば、ＣＤ（Compact Disc）やＤＶＤ（Digital Video Disc）などの光ディスクや、ＵＳＢ（Universal Serial Bus）メモリやメモリカードなどを用いて提供されてもよく、また、通信網（例えばインターネット）を介して提供されてもよい。
【００９２】
以上説明した本実施形態の音発生源状態監視システムによれば、使用者は、検出装置１を音発生源１００の周辺に配置し、報知装置２を所持して移動する。音発生源１００が特定の状態を示す音（例えば、アラーム音）を発すると、検出装置１が、音発生源１００が発した音を検出し、該音の情報（マイクロホン２２の出力信号）を含む無線信号を報知装置２へ送信する。報知装置２は、検出装置１からの無線信号に含まれている音の情報を分析し、分析結果（音パターン）が登録されているか否かを判定し、登録されていれば、対応する監視完了メッセージを表示する、または、音声で出力する。使用者は、報知装置２で表示または音声出力された監視完了メッセージを認識する。このように、報知装置２が検出装置１からの無線信号を受信することができる場所であれば、検出装置１から離れた場所でも、使用者は、報知装置２を使用して音発生源１００の状態を認識することができる。
【００９３】
検出装置１として、ハンズフリーイヤホンを使用し、報知装置２として、携帯電話機を使用した場合には、機器監視を行うための新規の専用機器を追加することなく、プログラムを提供するだけで、音発生源状態監視システムを実現することができる。音発生源１００についても、新規の追加機能は不要である。
【００９４】
また、検出装置１と報知装置２は、携帯電話網を介さず、直接に、無線信号を送受信するように構成されているので、特許文献１に記載の音声報知システムのように通信料金が増大することもない。
【００９５】
さらに、特許文献２に記載の生活支援装置と比較して、以下のような効果もある。
【００９６】
特許文献２に記載の生活支援装置では、壁等の所定の位置に設置した集音マイクと送信機とを通信線で接続する必要があるため、装置が大がかりになり、装置の設置の自由度も低い。例えば、電気製品を別の場所に移動した場合には、集音マイクを電気製品の移動先に設置し直し、さらに、集音マイクと送信機との配線をやり直す必要がある。このような作業は、使用者への大きな負担となる。
【００９７】
本実施形態の音発生源状態監視システムによれば、検出装置１は移動可能であり、音発生源１００の周辺の任意の場所に自由に設置することができる。したがって、電気製品を別の場所に移動した場合でも、検出装置１をその電気製品の周辺に簡単に配置することができ、配線のやり直し等の作業は不要である。
【００９８】
（第２の実施形態）
図１１は、本発明の第２の実施形態である携帯端末装置の構成を示すブロック図である。
【００９９】
図１１を参照すると、携帯端末装置は、通信部４０、記憶部４１、状態判定部４２および報知部４３を有する。
【０１００】
通信部４０は、音発生源が発生した該音発生源の特定の状態を知らせる報知音を検出する検出装置との間で無線通信を行い、該検出装置から、報知音の情報を含む無線信号を受信する。
【０１０１】
記憶部４１は、上記報知音の情報と上記特定の状態とを関連付けた状態判定情報を保持する。
【０１０２】
状態判定部４２は、通信部４０が検出装置から受信した無線信号に含まれている報知音の情報と記憶部４１に保持した状態判定情報とに基づいて音発生源の状態を判定する。
【０１０３】
報知部４３は、状態判定部４２の判定結果を報知する。
【０１０４】
本実施形態の携帯端末装置は、上述した第１の実施形態の音発生源状態監視システムの報知装置２として使用することができる。この場合、本実施形態の携帯端末装の各部と図３に示した報知装置２の各部との対応関係は次のようになる。通信部４０は通信部３９に対応し、記憶部４１は記憶部３８に対応し、状態判定部４２は音分析部３４および制御部３１に対応し、報知部４３はスピーカ３６または表示部３７に対応する。状態判定情報は、記憶部３８に格納されたメッセージ情報テーブル（図６）に対応する。
【０１０５】
本実施形態の携帯端末装置を備えた音発生源状態監視システムにおいても、第１の実施形態と同様の効果を得ることができる。
【０１０６】
本実施形態の携帯端末装置において、状態判定部４２は、検出装置からの無線信号の受信レベル（受信電界レベル）が閾値以上の場合にのみ、報知部４３に判定結果の報知を行わせてもよい。この構成によれば、以下のような効果を得られる。閾値は、使用環境に応じて任意に設定可能である。
【０１０７】
携帯端末装置を所持した使用者が音発生源の近くに居る場合、使用者は、音発生源からの報知音を認識するとともに、携帯端末装置から報知された判定結果を認識する。この場合、使用者は、音発生源からの報知音を認識することができるので、携帯端末装置からの判定結果を認識する必要はない。すなわち、携帯端末装置における判定結果の報知動作は無駄となり、不要な電力消費を招く。
【０１０８】
検出装置からの無線信号の受信レベルが閾値以上の場合にのみ、報知部４３が判定結果を報知する構成によれば、携帯端末装置が、音発生源の周辺に置かれた検出装置の近くに位置する場合は、報知部４３は判定結果を報知しない。よって、上記のような不要な電力消費を招くことはない。
【０１０９】
本実施形態の携帯端末装置はコンピュータおよびプログラムを備える。プログラムは、音発生源が発生した該音発生源の特定の状態を知らせる報知音を検出する検出装置との間で無線通信を行い、該検出装置から、上記報知音の情報を含む無線信号を受信する処理と、記憶部に格納された、報知音の情報と上記特定の状態とを関連付けた状態判定情報を参照し、上記検出装置から受信した上記無線信号に含まれている上記報知音の情報と上記状態判定情報とに基づいて上記音発生源の状態を判定する処理と、上記音発生源の状態判定結果を報知する処理と、をコンピュータに実行させるために用いられる。プログラムは、コンピュータ読み出し可能な記録媒体、例えば、ＣＤ（Compact Disc）やＤＶＤ（Digital Video Disc）などの光ディスクや、ＵＳＢ（Universal Serial Bus）メモリやメモリカードなどを用いて提供されてもよく、また、通信網（例えばインターネット）を介して提供されてもよい。
【０１１０】
（第３の実施形態）
図１２は、本発明の第３の実施形態である携帯端末装置の構成を示すブロック図である。
【０１１１】
図１２を参照すると、携帯端末装置は、通信部５０、記憶部５１、状態判定部５２および音検出部５３を有する。
【０１１２】
音検出部５３は、マイクロホン等の集音装置であって、音発生源が発生した報知音を検出する。記憶部５１は、音発生源の特定の状態を知らせる報知音の情報と特定の状態とを関連付けた状態判定情報を保持する。状態判定情報は、図６に示したメッセージ情報テーブルに対応する。
【０１１３】
状態判定部５２は、音検出部５３で検出した報知音の情報と記憶部５１に保持した状態判定情報とに基づいて音発生源の状態を判定する。通信部５０は、状態判定部５２の判定結果を含む無線信号を外部の報知装置へ送信する。
【０１１４】
本実施形態の携帯端末装置は、音発生源状態監視システムの検出装置として使用することができる。この場合、音発生源状態監視システムは、本実施形態の携帯端末装置よりなる検出装置と、該検出装置から無線通信を受信する報知装置と、を有する。報知装置は、通信部５０からの状態判定部５２の判定結果を含む無線信号を受信する通信部と、該通信部で受信した無線信号に含まれている判定結果を報知する報知部と、を有する。この音発生源状態監視システムにおいても、第１の実施形態と同様の効果を得ることができる。
【０１１５】
本実施形態の携帯端末装置において、通信部５０は、外部の報知装置からの無線信号を受信し、状態判定部５２は、外部の報知装置からの無線信号の受信レベル（受信電界レベル）が閾値以上の場合にのみ、通信部に、判定結果を含む無線信号の外部の報知装置への送信を行わせてもよい。
【０１１６】
また、本実施形態の携帯端末装置において、状態判定部５２の判定結果を報知する報知部を、さらに有し、状態判定部５２は、外部の報知装置からの無線信号の受信レベルが閾値未満の場合にのみ、報知部に、判定結果の報知を行わせてもよい。
【０１１７】
上記の受信レベルに基づく無線通信および報知の動作によれば、第２の実施形態で説明した不要な電力消費を抑制することができる。
【０１１８】
本実施形態の携帯端末装置はコンピュータおよびプログラムを備える。プログラムは、音発生源が発生した該音発生源の特定の状態を知らせる報知音を検出する処理と、記憶部に格納された、上記報知音の情報と上記特定の状態とを関連付けた状態判定情報を参照し、検出した上記報知音の情報と上記状態判定情報とに基づいて上記音発生源の状態を判定する処理と、上記音発生源の状態判定結果を報知する処理と、をコンピュータに実行させるために用いられる。プログラムは、コンピュータ読み出し可能な記録媒体、例えば、ＣＤ（Compact Disc）やＤＶＤ（Digital Video Disc）などの光ディスクや、ＵＳＢ（Universal Serial Bus）メモリやメモリカードなどを用いて提供されてもよく、また、通信網（例えばインターネット）を介して提供されてもよい。
【０１１９】
以上説明した上述した各本実施形態は、本発明の一例であり、その構成や動作は、発明の趣旨を逸脱しない範囲で、当業者が理解し得る変更を適用することができる。
【０１２０】
例えば、報知音の情報（例えば、図４や図５に示した音パターン）に基づいて音発生源の状態を判定しているが、報知音の情報と他の情報との組合せで状態の判定を行ってもよい。他の情報は、音以外の情報であって、例えば時間等である。
【０１２１】
また、状態判定情報（メッセージ情報テーブル等）は、外部の記憶装置に格納されてもよい。
【０１２２】
また、本発明は、以下の付記１〜１５のような形態をとり得るが、これら形態に限定されない。
（付記１）
音発生源が発生した該音発生源の特定の状態を知らせる報知音を検出する検出装置との間で無線通信を行い、該検出装置から、前記報知音の情報を含む無線信号を受信する通信部と、
前記報知音の情報と前記特定の状態とを関連付けた状態判定情報を保持する記憶部と、
前記通信部が受信した前記無線信号に含まれている前記報知音の情報と前記状態判定情報とに基づいて前記音発生源の状態を判定する状態判定部と、
前記状態判定部の判定結果を報知する報知部と、を有する、携帯端末装置。
（付記２）
前記状態判定部は、前記検出装置からの前記無線信号の受信レベルが閾値以上の場合にのみ、前記報知部に前記判定結果の報知を行わせる、付記１に記載の携帯端末装置。
（付記３）
前記状態判定情報は、前記報知音の情報と前記特定の状態を示すメッセージとを関連付けたテーブルを含み、
前記状態判定部は、前記通信部が受信した前記無線信号に含まれている前記報知音の情報に基づいて前記テーブルから前記メッセージを取得し、
前記報知部は、前記状態判定部が取得した前記メッセージを報知する、付記１または２に記載の携帯端末装置。
（付記４）
前記報知部は、前記メッセージを表示する表示部を備える、付記３に記載の携帯端末装置。
（付記５）
前記報知部は、前記メッセージに対応する音声を出力する出力部を備える、付記３に記載の携帯端末装置。
（付記６）
音を検出する音検出部と、
音発生源の特定の状態を知らせる報知音の情報と前記特定の状態とを関連付けた状態判定情報を保持する記憶部と、
前記音発生源が発生した前記報知音を前記音検出部で検出すると、該検出した報知音の情報と前記状態判定情報とに基づいて前記音発生源の状態を判定する状態判定部と、
前記状態判定部の判定結果を含む無線信号を外部の報知装置へ送信する通信部と、を有する、携帯端末装置。
（付記７）
前記通信部は、前記外部の報知装置からの無線信号を受信し、
前記状態判定部は、前記外部の報知装置からの前記無線信号の受信レベルが閾値以上の場合にのみ、前記通信部に、前記判定結果を含む前記無線信号の前記外部の報知装置への送信を行わせる、付記６に記載の携帯端末装置。
（付記８）
前記状態判定部の判定結果を報知する報知部を、さらに有し、
前記状態判定部は、前記外部の報知装置からの前記無線信号の受信レベルが閾値未満の場合に、前記報知部に、前記判定結果の報知を行わせる、付記７に記載の携帯端末装置。
（付記９）
前記状態判定情報は、前記報知音の情報と前記特定の状態を示すメッセージとを関連付けたテーブルを含み、
前記状態判定部は、前記報知音の情報に基づいて前記テーブルから前記メッセージを取得し、
前記通信部は、取得した前記メッセージを含む無線信号を前記外部の報知装置へ送信する、付記７または８に記載の携帯端末装置。
（付記１０）
音を検出する音検出部を備え、音発生源が発生した該音発生源の特定の状態を知らせる報知音を前記音検出部で検出し、該報知音の情報を含む無線信号を送信する検出装置と、
前記検出装置から前記無線通信を受信する報知装置と、を有し、
前記報知装置は、
前記報知音の情報と前記特定の状態とを関連付けた状態判定情報を保持する記憶部と、
前記検出装置から受信した前記無線通信に含まれている前記報知音の情報と前記状態判定情報とに基づいて前記音発生源の状態を判定する状態判定部と、
前記状態判定部の判定結果を報知する報知部と、を有する、音発生源状態監視システム。
（付記１１）
音を検出する検出装置と、
前記検出装置と無線通信を行う報知装置と、有し、
前記検出装置は、
音を検出する音検出部と、
音発生源の特定の状態を知らせる報知音の情報と前記特定の状態とを関連付けた状態判定情報を保持する記憶部と、
前記音発生源が発生した前記報知音を前記音検出部で検出すると、該検出した報知音の情報と前記状態判定情報とに基づいて前記音発生源の状態を判定する状態判定部と、
前記状態判定部の判定結果を含む無線信号を前記報知装置へ送信する第１の通信部と、を有し、
前記報知装置は、
前記第１の通信部からの前記無線信号を受信する第２の通信部と、
前記第２の通信部で受信した前記無線信号に含まれている前記判定結果を報知する報知部と、を有する、音発生源状態監視システム。
（付記１２）
通信部が、音発生源が発生した該音発生源の特定の状態を知らせる報知音を検出する検出装置との間で無線通信を行い、該検出装置から、前記報知音の情報を含む無線信号を受信し、
状態判定部が、記憶部に格納された、前記報知音の情報と前記特定の状態とを関連付けた状態判定情報を参照し、前記通信部が受信した前記無線信号に含まれている前記報知音の情報と前記状態判定情報とに基づいて前記音発生源の状態を判定し、
報知部が、前記状態判定部の判定結果を報知する、音発生源状態監視方法。
（付記１３）
音検出部が、音発生源が発生した該音発生源の特定の状態を知らせる報知音を検出し、
状態判定部が、記憶部に格納された、前記報知音の情報と前記特定の状態とを関連付けた状態判定情報を参照し、前記音検出部が検出した前記報知音の情報と前記状態判定情報とに基づいて前記音発生源の状態を判定し、
通信部が、前記状態判定部の判定結果を含む無線信号を外部の報知装置へ送信する、音発生源状態監視方法。
（付記１４）
音発生源が発生した該音発生源の特定の状態を知らせる報知音を検出する検出装置との間で無線通信を行い、該検出装置から、前記報知音の情報を含む無線信号を受信する処理と、
記憶部に格納された、前記報知音の情報と前記特定の状態とを関連付けた状態判定情報を参照し、前記検出装置から受信した前記無線信号に含まれている前記報知音の情報と前記状態判定情報とに基づいて前記音発生源の状態を判定する処理と、
前記音発生源の状態判定結果を報知する処理と、をコンピュータに実行させるためのプログラム。
（付記１５）
音発生源が発生した該音発生源の特定の状態を知らせる報知音を検出する処理と、
記憶部に格納された、前記報知音の情報と前記特定の状態とを関連付けた状態判定情報を参照し、検出した前記報知音の情報と前記状態判定情報とに基づいて前記音発生源の状態を判定する処理と、
前記音発生源の状態判定結果を報知する処理と、をコンピュータに実行させるためのプログラム。
【符号の説明】
【０１２３】
１  検出装置
２  報知装置
２１、３１  制御部
２２、３２  マイクロホン
２３、３３  プログラムメモリ
２４、３６  スピーカ
２５、３５  入力部
２６、３８、４１  記憶部
２７、３９、４０  通信部
３４  音分析部
３７  表示部
４２  状態判定部
４３  報知部
１００  音発生源
【図１】
2014044568.tif 000003
【図２】
2014044568.tif 000004
【図３】
2014044568.tif 000005
【図４】
2014044568.tif 000006
【図５】
2014044568.tif 000007
【図６】
2014044568.tif 000008
【図７】
2014044568.tif 000009
【図８】
2014044568.tif 000010
【図９】
2014044568.tif 000011
【図１０】
2014044568.tif 000012
【図１１】
2014044568.tif 000013
【図１２】
2014044568.tif 000014